(57)【要約】【解決課題】  手術時間の短縮ができ且つ処理具の部品点数を削減できる瘻孔長測定器を提供すること。【解決手段】  胴体部に目盛を有することを特徴とする瘻孔造設術用拡張器。【選択図】図１
2011045738.tif 000002
【特許請求の範囲】
【請求項１】
胴体部に目盛を有することを特徴とする瘻孔造設術用拡張器。
【請求項２】
前記目盛が、レーザーマーカーで印字された目盛であることを特徴とする請求項１記載の瘻孔造設術用拡張器。
【請求項３】
前記目盛が、ＵＶ硬化型インクで印字された目盛であることを特徴とする請求項１記載の瘻孔造設術用拡張器。
【請求項４】
前記目盛が、シリコーンインクで印字された目盛であることを特徴とする請求項１記載の瘻孔造設術用拡張器。
【請求項５】
前記瘻孔造設術用拡張器の材質が、ポリビニリデンジフルオライドであることを特徴とする請求項３又は４いずれか１項記載の瘻孔造設術用拡張器。
【請求項６】
前記瘻孔造設術用拡張器の材質が、プラズマ処理されたポリビニリデンジフルオライドであることを特徴とする請求項３又は４いずれか１項記載の瘻孔造設術用拡張器。
【発明の詳細な説明】
【技術分野】
【０００１】
本発明は、胃瘻の造設術に用いられる瘻孔造設術用拡張器に関する。
【背景技術】
【０００２】
近年、栄養又は薬液等を経口的に摂取できない患者に対して、患者の腹部に経皮的内視鏡下胃瘻造設術(Ｐｅｒｃｕｔａｎｅｏｕｓ  Ｅｎｄｏｓｃｏｐｉｃ  Ｇａｓｔｒｏｓｔ
ｏｍｙ、以下、ＰＥＧと略す。)により胃瘻を造設し、該胃瘻から栄養又は薬液等を投与
する経腸栄養管理が頻繁に行われるようになってきた。
【０００３】
該ＰＥＧは、腹壁及び胃壁に瘻孔を開け、該瘻孔に、体内留置部材、チューブ部材及び体外留置部材からなるカテーテルを挿入し、該カテーテルを腹部に留置することにより、胃瘻を造設する手術方法であり、胃内に内視鏡を挿入しながら、（１）腹壁と胃壁とを固定する工程、（２）腹壁及び胃壁に穿刺針を刺し、貫通孔を形成する工程、（３）貫通孔にガイドワイヤを挿入する工程、（４）ガイドワイヤに沿って、瘻孔造設術用拡張器を貫通孔に挿入し、貫通孔の径を拡張して瘻孔を形成する工程、（５）瘻孔長を測定する工程、（６）ガイドワイヤに沿って、カテーテルを瘻孔に挿入する工程、（７）ガイドワイヤを抜去する工程からなる。なお、本発明において、貫通孔とは、瘻孔造設術用拡張器で、拡張される前又は拡張中の孔を指し、一方、瘻孔とは、瘻孔造設術用拡張器で拡張された後の孔を指す。
【０００４】
該（５）瘻孔長を測定する工程は、造設された瘻孔の長さに合ったカテーテルを選択するために、瘻孔長、すなわち、腹壁及び胃壁の厚みの合計を測定する工程である。該ＰＥＧにおいて、胃壁と腹壁とが密着するような適切な長さのチューブ部材を有するカテーテルを選択する必要がある。チューブ部材の長さが、胃壁および腹壁の厚さよりも短いカテーテルを装着した場合、カテーテルに付属された栄養剤通路が胃内へ挿通されていないため、その後に実施される栄養剤、薬剤が胃内へ正確に注入されず、腹膜炎を引き起こす場合がある。一方、チューブ部材の長さが、胃壁および腹壁の厚さよりも長いカテーテルを装着した場合、体外に出ているチューブ部材に、割りガーゼ等を挟み込んで、カテーテルを固定することができるが、極めて長いカテーテルを装着してしまった場合には、体外に突出する部分が多くなり、患者の生活に支障を与えてしまう場合がある。従って、瘻孔長を予め測定し、チューブ部材の長さが適切なカテーテルを選択する必要がある。
【０００５】
従来より用いられていた瘻孔長測定器を、図４及び図５を用いて示す。図４は、自由状態の従来の瘻孔長測定器を示し、図５は、瘻孔長の測定時の従来の瘻孔長測定器を示す。図４中、瘻孔長測定器３０は、目盛３１が印字されているアウターチューブ３２、該アウターチューブ内を自由に摺動するインナーシャフト３３、一端が該アウターチューブ３２の体外側末端３４と、他端が該インナーシャフト３３の体外側末端３５と接合しており、自由状態では屈曲した形状を有するアーム部材３６、及び一端のみが該インナーシャフト３３の体内側末端３７と接合しており、自由状態では該インナーシャフト３３に沿って閉じている突出部３８からなる。
【０００６】
従来、瘻孔長の測定は、以下のようにして行われていた。先ず、瘻孔造設術用拡張器で貫通孔を拡張して形成された瘻孔に、該瘻孔長測定器３０を、該突出部３８が閉じた状態で挿入する。次いで、図５に示すように、該アーム部材３６に外力３９を加えて、該アーム部材３６を、略直線形状に変形させる。この時、該インナーシャフト３３が、該アウターチューブ３２内を体外側に向かって移動することにより、該突出部３８が開く。次いで、該突出部３８が開かれた状態で、該瘻孔長測定器３０を体外側に引張り、該突出部３８を胃壁の内側４０に接触させ、該目盛３１で、瘻孔長を測定する。つまり、従来の瘻孔長測定器３０は、該突出部３８を胃内壁に接触させることにより、目盛の基点（ゼロ点）を、胃壁の内側に合わせ、瘻孔長の測定を行う器具である。
【０００７】
例えば、特許文献１の米国特許第６，７６４，４５３号公報に開示されている瘻孔長測定器、及び特許文献２の米国５，３５６，３８２号公報に開示されている瘻孔長測定器のいずれも、上述したように、自由状態では閉じている突出部を、胃内に挿入後、胃内で開き、開いた突出部と胃壁の内側を接触させることにより、目盛の基点を胃壁の内側に合わせるものである。
【０００８】
【特許文献１】米国特許第６，７６４，４５３号公報
【特許文献２】米国特許第５，３５６，３８２号公報
【発明の開示】
【発明が解決しようとする課題】
【０００９】
ところが、上記の瘻孔長測定器は、複数の部品で構成されるため、成形、組立の工程が煩雑であり、高価なものであった。そして、瘻孔造設術用拡張器で貫通孔を拡張して瘻孔を形成させた後、該瘻孔造設術用拡張器を引き抜き、別の器具である瘻孔長測定器を挿入して、該（５）瘻孔長を測定する工程を行う必要があるため、手術時間が長くなること及び処置具の部品点数が多くなるという問題があった。
【００１０】
従って、本発明の課題は、手術時間の短縮ができ且つ処理具の部品点数を削減できる瘻孔長測定器を提供することにある。
【課題を解決するための手段】
【００１１】
本発明者らは、上記従来技術における課題を解決すべく、鋭意研究を重ねた結果、瘻孔造設術用拡張器の胴体部に目盛を付することにより、該瘻孔造設術用拡張器が、瘻孔長測定器を兼ねることができるので、手術時間の短縮及び処理具の部品点数の削減が可能となることを見出し、本発明を完成させるに至った。
【００１２】
すなわち、本発明は、胴体部に目盛を有する瘻孔造設術用拡張器を提供するものである。
【発明の効果】
【００１３】
本発明の瘻孔造設術用拡張器によれば、瘻孔造設術の手術時間の短縮且つ処理具の部品点数の削減が可能となる。
【図面の簡単な説明】
【００１４】
【図１】本発明の実施の形態例の瘻孔造設術用拡張器の模式図を示す。
【図２】大径部材先端部５の先端１２（小径部材先端部９の先端１６）の端面拡大図である。
【図３】瘻孔長測定工程を説明する模式図である。
【図４】自由状態の従来の瘻孔長測定器を示す。
【図５】瘻孔長の測定時の従来の瘻孔長測定器を示す。
【発明を実施するための最良の形態】
【００１５】
本発明の実施の形態例の瘻孔造設術用拡張器を、図１を参照して説明する。図１は、本発明の実施の形態例の瘻孔造設術用拡張器の模式図を示し、図１中（Ｉ−１）は、挿通前の小径部材及び大径部材を示す模式図であり、図１中（Ｉ−２）は、大径部材に小径部材が挿通された状態の瘻孔造設術用拡張器を示す模式図であり、図１中（Ｉ−３）は、（Ｉ−２）の模式的な断面図である。図１中、瘻孔造設術用拡張器１は、大径部材３及び小径部材７から構成されている。図１中（Ｉ−１）に示すように、該大径部材３は、円筒形状の大径部材胴体部４、先端に向かって径が小さくなっている大径部材先端部５及び該大径部材胴体部４の末端に付設されている大径部材側コネクタ６からなり、該大径部材胴体部４には、目盛２が付されている。また、該小径部材７は、円筒形状の小径部材胴体部８、先端に向かって径が小さくなっている小径部材先端部９、及び該小径部材胴体部８の末端に付設されている小径部材側コネクタ１０からなる。そして、図１中（Ｉ−２）に示すように、該大径部材３の内部に該小径部材７が挿通され、該大径部材側コネクタ６及び該小径部材側コネクタ１０により、該大径部材３に該小径部材７が固定されて、該瘻孔造設術用拡張器１となる。
【００１６】
該大径部材３は、中空であり、内部に該小径部材７を挿通できる構造である。
【００１７】
該大径部材胴体部４の外径は、造設される瘻孔の内径と同じ大きさなので、留置するカテーテルのチューブ部材の外径により、適宜選択される。つまり、該大径部材胴体部４の外径は、該チューブ部材の外径と略同一か、又は該チューブ部材の外径より０．５〜３．０ｍｍ大きく、好ましくは１．０〜２．０ｍｍ大きい。そして、患者への負担を軽減するために、該大径部材胴体部４の外径は、カテーテルのチューブ部材の外径より若干大きいことが好ましく、該カテーテルのチューブ部材の外径は、通常、６〜１２ｍｍ、好ましくは７〜９ｍｍなので、該大径部材胴体部４の外径は、通常、７〜１３ｍｍ、好ましくは８〜１０ｍｍである。
【００１８】
該大径部材胴体部４の内径は、該小径部材７が挿通され得る大きさであれば、特に制限されないが、好ましくは４〜１０ｍｍ、特に好ましくは５〜７ｍｍである。
【００１９】
該大径部材先端部５は、先端に向かって外径が小さくなっている円錐形状である。該大径部材先端部５の先端の内径及び外径について、図２を参照して説明する。図２は、該大径部材先端部５の先端１２の端面拡大図である。図２（ＩＩ−１）中、該大径部材先端部５の先端１２の内径１３は、該小径部材胴体部８の外径と略同一であり、該小径部材胴体部８の大きさにより、適宜選択される。また、該大径部材先端部５の先端１２の外径１４は、該大径部材先端部５の先端１２の内径１３の値に近い程、該瘻孔造設術用拡張器で貫通孔を拡張させる際に、該先端１２での抵抗が少なくなる点で好ましく、図２（ＩＩ−２）に示すように、該大径部材先端部５の先端１２の内径１３と同じであることが最も好ましい。
【００２０】
該大径部材３の全長１５は、少なくとも、術者が手で握る部分、腹壁の厚み及び胃壁の厚みの合計の長さ以上の長さであり、好ましくは５０〜３００ｍｍ、特に好ましくは１８０〜２３０ｍｍである。
【００２１】
該目盛２は、該大径部材胴体部４に付されている。つまり、該目盛２の付される部分は、該大径部材３の該大径部材先端部５を除く部分である。該目盛２の基点１１、すなわち、ゼロ点１１は、該大径部材胴体部４の任意の位置であり、該目盛２は、該基点１１から、該大径部材３の末端に向かって付されている。該目盛２としては、特に制限されないが、該基点１１から末端に向かって一定の間隔で付される横棒及び数字であることが好ましい。該目盛２の目盛間隔は、特に制限されないが、５ｍｍ間隔であることが望ましく、また、特に強調したい箇所に数値が付されていることが望ましい。また、存在するカテーテルの長さに対応する位置にのみに目盛が付されていてもよい。該基点１１は、瘻孔長の測定時に、胃内で、内視鏡により確認されなければならないので、内視鏡下で確認し易いこと、すなわち、目盛の基点を示す横棒が、他の横棒より太いか、又は０の数字が他の数字より大きいことが好ましい。また、該目盛２は、目盛が見易くなるように、該目盛２と該目盛２以外の大径部材３との区別が明確になるようなインクの色又は印字方法で印字された目盛であることが、好ましく、シリコーンインクで印字された目盛であることが、十分な剥離強度が得られ且つ該目盛２と該目盛２以外の大径部材３との区別が明確になる点で、特に好ましい。また、胃内に該瘻孔造設術用拡張器１が挿入された時に、該目盛２がどの方向に向いていても、内視鏡下で該基点１１を確認し易いように、該基点１１の横棒が、該大径部材胴体部４の全周に亘って付されていることが好ましい。該目盛２の範囲は、特に制限されないが、通常、瘻孔の長さが５〜５０ｍｍであるため、実用的には０〜１００ｍｍの範囲で目盛が付されていればよい。
【００２２】
該目盛２を該大径部材胴体部４に付す方法としては、特に制限されず、例えば、ホットスタンプ（熱転写）により印字する方法、シリコーンインクにより印字する方法、ＵＶ硬化型インクにより印字する方法、ＣＯ２レーザーマーカー、ＬＤレーザーマーカー、ＹＡＧレーザーマーカー等のレーザーマーカーにより印字する方法等が挙げられるが、該大径部材胴体部４への印字が可能であれば、特に制限されない。これらのうち、シリコーンインクにより印字する方法が、インクの硬化時間が短いので、製造時間を短縮できる点、及び膜厚印刷が可能なので、他の印字方法に比べ、該目盛２が視覚的に見易く、該目盛２と該目盛２以外の大径部材３との区別が明確になる点で、好ましい。また、これらのうち、レーザーマーカーにより印字する方法が、短時間で印字でき且つインク等を必要としない点で好ましく、ＹＡＧレーザーマーカーにより印字する方法が、該目盛２が鮮明になる点で特に好ましい。また、ＵＶ硬化型インクにより印字する方法は、樹脂に印字する方法として一般的に広く用いられているため、既存の設備を使用でき、新たな設備投資が必要でないので、安価に印字ができる点で好ましい。また、フッ素樹脂は、自己潤滑性、耐化学薬品性、優れた機械特性を有しているので、該大径部材３の該大径部材胴体部４及び大径部材先端部５並びに該小径部材７の該小径部材胴体部８及び該小径部材先端部９の材質としては、該フッ素樹脂がしばしば使用される。しかし、該フッ素樹脂には、印字が困難な場合があり、その場合には、該フッ素樹脂に印字するための工夫が必要である。例えば、シリコーンインク又はＵＶ硬化型インクにより印字をする場合、該大径部材胴体部４の材質が、該フッ素樹脂であると、インクがはじかれたり、あるいは、十分な剥離強度が得られないことがあるので、この場合は、予めプラズマ処理等の表面処理を行なえばよい。なお、該大径部材胴体部４の材質が、ポリビニリデンジフルオライド樹脂（ＰＶＤＦ樹脂）である場合は、表面処理等を予め施さなくても、ＵＶ硬化型インクによる印字が可能である。また、シリコーンインクにより印字する方法では、スクリーン印刷で印字することが、ＵＶ硬化型インクにより印字する方法では、回転印刷で印字することが、円形の部材に対して、一度の作業で全周に亘って印字が可能である点で好ましい。
【００２３】
該小径部材７は、中空であり、内部にガイドワイヤを挿通することができる構造である。
【００２４】
該小径部材胴体部８の外径は、特に制限されないが、該小径部材７は、通常、１．０〜１．３ｍｍの内径及び１．４〜１．７ｍｍの外径を有する穿刺針を、腹壁及び胃壁に貫通させて形成させた貫通孔の拡張を、最初に行う部材なので、該穿刺針の外径に比べ大きくし過ぎることは、患者への負担が大きくなる。そのため、該小径部材胴体部８の外径は、好ましくは２〜８ｍｍ、特に好ましくは２．５〜４．５ｍｍである。
【００２５】
該小径部材胴体部８の内径は、該小径部材７の内部にガイドワイヤが挿通され得る大きさであれば、特に制限されないが、好ましくは１．３〜６ｍｍ、特に好ましくは１．４〜１．８ｍｍである。
【００２６】
該小径部材先端部９は、先端に向かって外径が小さくなっている円錐形状である。該小径部材先端部９の先端１６の内径１７は、ガイドワイヤに沿って、該小径部材７（又は該瘻孔造設術用拡張器１）が摺動可能な大きさであれば、特に制限されず、ガイドワイヤの外径により、適宜選択される。そして、該小径部材先端部９の先端１６とガイドワイヤとの間のクリアランス、すなわち、該先端１６の外径１７とガイドワイヤの外径の差は、０〜０．２ｍｍ、好ましくは０．０２〜０．０９ｍｍである。通常、該ガイドワイヤとしては、外径が０．８９ｍｍの０．０３５”ガイドワイヤが用いられるため、該０．０３５”ガイドワイヤを用いる場合は、該小径部材先端部９の先端１６の内径１７は、好ましくは０．９〜１．１ｍｍ、特に好ましくは０．９２〜０．９８ｍｍである。また、該小径部材先端部９の先端１６の外径１８は、該小径部材先端部９の先端１６の内径１７の値に近い程、該瘻孔造設術用拡張器で貫通孔を拡張させる際に、該先端１６での抵抗が少なくなる点で好ましく、該小径部材先端部９の先端１６の内径１７と同じであることが最も好ましい。なお、該小径部材先端部９の先端１６の内径及び外径は、図２に示す該大径部材先端部５の先端１２と同様なので、図２を参照する。
【００２７】
該大径部材３の該大径部材胴体部４及び大径部材先端部５並びに該小径部材７の該小径部材胴体部８及び該小径部材先端部９の材質は、特に制限されないが、生体適合性に優れており、拡張時に潰れたり、座屈したりすることがなく、且つ滑り易い材質であることが好ましく、例えば、ポリテトラフルオロエチレン樹脂（ＰＴＦＥ樹脂）、ポリビニリデンジフルオライド樹脂（ＰＶＤＦ樹脂）、テトラフルオロエチレン・ヘキサフルオロプロピレン共重合体樹脂（ＦＥＰ樹脂）等のフッ素樹脂が好ましい。また、塩化ビニル樹脂、ポリエチレン樹脂、ナイロン樹脂等は、該ＰＴＦＥ樹脂や該フッ素樹脂に比べ、強度が低い樹脂ではあるが、該大径部材３の該大径部材胴体部４及び大径部材先端部５並びに該小径部材７の該小径部材胴体部８及び該小径部材先端部９の厚みを選択することにより、使用されることが可能となる。なお、塩化ビニル樹脂、ポリエチレン樹脂、ナイロン樹脂等の樹脂が滑り難い場合には、塩化ビニル樹脂、ポリエチレン樹脂、ナイロン樹脂等の樹脂は、表面に親水性処理が施されることにより、使用されることが可能となる。また、該目盛２が、ＵＶ硬化型インクで印字された目盛である場合、該目盛２が印字される該大径部材胴体部４の材質が、ポリビニリデンジフルオライド樹脂であることが、予め表面処理を行わなくても印字できる点で好ましい。また、該大径部材３及び該小径部材７は、金属化合物を含有することができ、レーザーマーカーで印字する場合に、印字が鮮明になる点で、金属化合物を１〜２０質量含有することが好ましく、金属化合物を３〜１０質量％含有することが特に好ましい。また、該金属化合物としては、酸化ビスマスが好ましい。また、該金属化合物の種類を選択することにより、該目盛２の色を変化させることができるので、該金属化合物の種類を適宜選択することにより、該目盛２と該目盛２以外の大径部材３との区別を明確にすることができる。なお、該大径部材胴体部４と該大径部材先端部５は、一体成形されたものであっても、あるいは、円筒形状の部品と円錐形状の部品を接着させたものであってもよく、同様に、該小径部材胴体部８と該小径部材先端部９は、一体成形されたものであっても、あるいは、円筒形状の部品と円錐形状の部品を接着させたものであってもよい。
【００２８】
該大径部材３の末端には、該大径部材側コネクタ６が、該小径部材７の末端には、該小径部材側コネクタ１０が付設されている。該大径部材側コネクタ６及び該小径部材側コネクタ１０は、該貫通孔の拡張を行う際に、該小径部材側コネクタ１０を該大径部材側コネクタ６に嵌合させることにより、該大径部材の内部に挿通された該小径部材７を、該大径部材３に固定するための部材である。該大径部材側コネクタ６及び該小径部材側コネクタ１０の付設は任意であるが、該貫通孔の拡張を行う際に、該大径部材３及び該小径部材７が一体となるので、穿刺針の外径から該小径部材胴体部８の外径までの大きさへの貫通孔の拡張と、該小径部材胴体部８の外径から該大径部材胴体部４の外径までの大きさへの貫通孔の拡張とを、連続して行えるので、手術時間が短縮できる点で、該大径部材側コネクタ６及び該小径部材側コネクタ１０が付設されていることが好ましい。また、その場合、該大径部材側コネクタ６及び該小径部材側コネクタ１０には、ロック機構が付いていることが特に好ましい。
【００２９】
また、症例の違い、あるいは、術者の好みにより、先ず、穿刺針で形成された直後の貫通孔に、該小径部材７のみを挿入し、該穿刺針の外径から該小径部材胴体部８の外径までの大きさへの貫通孔の拡張を行い、次いで、該小径部材７の位置を固定して、該大径部材３を該貫通孔へ挿入し、該小径部材胴体部８の外径から該大径部材胴体部４の外径までの大きさへの拡張を行うことができ、この場合は、該大径部材側コネクタ６及び該小径部材側コネクタ１０は必要ない。
【００３０】
また、該大径部材３及び該小径部材７は、あらかじめ接着されているものであってもよい。
【００３１】
該大径部材側コネクタ６及び該小径部材側コネクタ１０は、圧入固定や接着固定等により付設されるため、加工性が良く且つ硬化剤等が接触してもクラックが発生しない程度の耐薬品性が必要である。該大径部材側コネクタ６及び該小径部材側コネクタ１０の材質としては、特に制限されないが、硬質塩化ビニル樹脂等の硬質プラスチックが好ましい。
【００３２】
該小径部材７を該大径部材３に挿通させ、該大径部材側コネクタ６及び該小径部材側コネクタ１０で、該小径部材７を該大径部材３に固定した状態では、該小径部材７の一部が、該大径部材先端部５の先端１２から突出している。該大径部材先端部５の先端１２から突出している該小径部材７の長さ１９は、特に制限されないが、好ましくは５〜２００ｍｍ、特に好ましくは１０〜６０ｍｍである。該長さ１９が、上記範囲未満だと、ガイドワイヤーに誘導されて湾曲するだけの柔軟性が乏しくなり易く、胃壁を突き刺してしまう可能性がある。なお、柔軟な材質を選択することによって、該長さ１９が、上記範囲未満であっても、胃壁を損傷することを防ぐことができ、このような柔軟な材質としては、エチレン−テトラフルオロエチレン共重合体（ＥＴＦＥ）、フルオロエチレン−フルオロプロピレン共重合体（ＦＥＰ）、ポリテトラフルオロエチレン（ＰＴＦＥ）等が挙げられる。また、該長さ１９が上記範囲を超えると、作業性が悪くなり易い。
【００３３】
図１中の該瘻孔造設術用拡張器１は、該大径部材３及び該小径部材７、すなわち、胴体部の外径が異なる２つの部材により構成されるので、該瘻孔造設術用拡張器１を用いる場合は、２段階で該貫通孔の拡張が行われるが、胴体部の外径が異なる部材の数は、特に制限はない。
【００３４】
例えば、胴体部の外径が、該大径部材３の胴体部の外径と該小径部材７の胴体部の外径との間の大きさとなる中径部材を用意し、該大径部材３に該中径部材を挿通し、該中径部材に該該小径部材７を部材を挿通して、瘻孔造設術用拡張器を構成することができ、該瘻孔造設術用拡張器によれば、３段階で該貫通孔の拡張が行われる。この場合、該瘻孔造設術用拡張器は、大径部材、中径部材及び小径部材からなる瘻孔造設術用拡張器であって、該大径部材は、目盛が付されている円筒形状の大径部材胴体部、先端に向かって径が小さくなっている大径部材先端部及び該大径部材胴体部の末端に付設されている大径部材側コネクタからなり、該中径部材は、円筒形状の中径部材胴体部、先端に向かって径が小さくなっている中径部材先端部、及び該中径部材胴体部の末端に付設されている中径部材側コネクタからなり、該小径部材は、円筒形状の小径部材胴体部、先端に向かって径が小さくなっている小径部材先端部、及び該小径部材胴体部の末端に付設されている小径部材側コネクタからなる。
【００３５】
なお、部材の数が複数の場合、目盛が付される部材は、どの部材であってもよいが、該目盛が、胴体部の外径が最も大きい部材の胴体部に付されていることが、手術における作業性が高くなる点及びカテーテルを留置する直前に瘻孔長の測定を行うので、カテーテルを留置する際の状態に最も近い状態で瘻孔長の測定が行える点で好ましい。
【００３６】
また、例えば、該大径部材３の該大径部材先端部４の先端１２の内径を、該ガイドワイヤの外径と同一又は若干大きくすることにより、１つの部材で瘻孔造設術用拡張器を構成することもでき、該瘻孔造設術用拡張器によれば、１段階で該貫通孔の拡張が行われる。この場合、該瘻孔造設術用拡張器は、目盛が付されている円筒形状の胴体部及び先端に向かって径が小さくなっている先端部からなる。
【００３７】
すなわち、本発明の瘻孔造設術用拡張器は、胴体部に目盛を有する瘻孔造設術用拡張器である。
【００３８】
次に、本発明の瘻孔造設術用拡張器を用いる経皮的内視鏡胃瘻造設術（ＰＥＧ）について説明する。本発明の経皮的内視鏡胃瘻造設術は、胃内に内視鏡を挿入しながら、（１）腹壁と胃壁とを固定する工程（以下、第１工程とも記載する。）、（２）腹壁及び胃壁に穿刺針を刺し、貫通孔を形成する工程（以下、第２工程とも記載する。）、（３）貫通孔にガイドワイヤを挿入する工程（以下、第３工程とも記載する。）、（４）ガイドワイヤに沿って、拡張器を貫通孔に挿入し、貫通孔の径を拡張して瘻孔を形成する工程（以下、拡張工程とも記載する。）、（５）瘻孔長を測定する工程（以下、瘻孔長測定工程とも記載する。）、（６）ガイドワイヤに沿って、カテーテルを瘻孔に挿入する工程（以下、第６工程とも記載する。）、（７）ガイドワイヤを抜去（以下、第７工程とも記載する。）する工程からなる。
【００３９】
該第１工程では、患者の胃内に内視鏡を挿入し送気を十分行い、腹壁と胃壁とを密着させる。次に、内視鏡からの透過光により胃の位置を確認し、腹部皮膚を消毒、局所麻酔を行う。続いて、その部位において、腹壁と胃壁の相対位置のずれを防止するため、胃壁腹壁固定を行う。この胃壁腹壁固定の近傍に、メスで小切開を加えておく。この部位が、カテーテルの挿入予定部位となる。また、更に、メスで小切開した部位では、金属鉗子を用いて筋層剥離することもできる。金属鉗子を用いて筋層剥離することにより、後の工程で、瘻孔造設術用拡張器及びカテーテルを挿入し易くなる。
【００４０】
該第２工程では、小切開部位に中空針又はシース付き針等を腹壁、胃壁の順に貫通させ、貫通孔を形成させる。
【００４１】
該第３工程では、該貫通孔に、中空針又はシースの内腔を経て、ガイドワイヤを胃内まで挿入する。挿入終了後、ガイドワイヤを残したまま、中空針又はシース付き針を患者から抜去しておく。以降の操作中にガイドワイヤが意に反して引き抜かれることが無いように、ガイドワイヤのうち、十分に長い長さが胃内に挿入される。また、体外に出ているガイドワイヤを鉗子やテープ等で、体表又はドレープに固定することによって、ガイドワイヤが意に反して引き抜かれることを防ぐこともできる。
【００４２】
該拡張工程では、本発明の瘻孔造設術用拡張器を用いて、該貫通孔を拡張する。該拡張工程の形態例として、図１に示す該瘻孔造設術用拡張器１を用いる場合について説明する。先ず、該大径部材３に該小径部材７を挿通し、該大径部材３と該小径部材７をコネクタで固定する。次いで、該ガイドワイヤを、該瘻孔造設術用拡張器１の該小径部材７に、該小径部材７の先端側から挿通する。次いで、該ガイドワイヤに沿って、該瘻孔造設術用拡張器１を、該貫通孔に挿入し、該貫通孔の拡張を行う。
【００４３】
該瘻孔長測定工程について、図３を参照して説明する。図３は、本発明の瘻孔造設術用拡張器を用いる瘻孔長測定工程を説明する模式図であり、該瘻孔造設術用拡張器の挿入方向に対して平行な面で切ったときの図である。図３中（ＩＩＩ−１）は、該拡張工程が終わった直後の様子を示す模式図であり、図３中（ＩＩＩ−２）は、瘻孔長測定時の様子を示す模式図である。なお、説明の都合上、該瘻孔造設術用拡張器については、断面図ではなく、側面図で示した。
【００４４】
該瘻孔造設術用拡張器２０を貫通孔２８に挿入して、該拡張工程を行った直後は、該腹壁及び胃壁２３は、該瘻孔造設術用拡張器２０の胴体部の任意の部分に存在する。この時、基点（ゼロ点）２２の位置と胃壁の内側２５の位置は合っていない（ＩＩＩ−１）。そこで、胃内２６に挿入された内視鏡２１で観察しながら、該瘻孔造設術用拡張器２０を更に押し込んで又は引き抜いて、該基点２２の位置と該胃壁の内側２５の位置を合わせる（ゼロ点調節）（ＩＩＩ−２）。そして、体外側２７から目盛２４を目視し、瘻孔長を測定する。このようにして、該瘻孔長測定工程を行う。そして、瘻孔長の測定後、該瘻孔造設術用拡張器を抜去する。なお、本発明において、胃壁の内側とは、胃内部側の胃壁の表面を指す。
【００４５】
該第６工程では、該ガイドワイヤに沿って、造設された瘻孔に、カテーテルを挿入して、該造設された瘻孔に、該カテーテルを留置する。
【００４６】
該第７工程では、該ガイドワイヤを体外側に引張り、胃内から抜去する。
【００４７】
なお、該第１工程、該第２工程、該第３工程、該第６工程及び該第７工程は、特に制限されず、従来の経皮的内視鏡胃瘻造設術で行われている方法と同様の方法で各工程を行うことができる。また、該拡張工程は、瘻孔造設術用拡張器として、本発明の瘻孔造設術用拡張器を用いる以外は、従来の経皮的内視鏡胃瘻造設術で行われている方法と同様の方法で、該拡張工程を行うことができる。
【００４８】
すなわち、本発明の経皮的内視鏡胃瘻造設術は、本発明の瘻孔造設術用拡張器を用いて、貫通孔の拡張を行う拡張工程、及び胃内に挿入されている内視鏡で観察しながら、本発明の瘻孔造設術用拡張器に付されている基点と胃壁の内側を合わせ、次いで、体外の目盛を目視して瘻孔長を測定する瘻孔長測定工程を有する経皮的内視鏡胃瘻造設術である。
【００４９】
このように、本発明の瘻孔造設術用拡張器によれば、経皮的内視鏡胃瘻造設術において、前段の拡張工程で用いた瘻孔造設術用拡張器を抜去せず、そのまま用い、且つ既に胃内に挿入されている内視鏡で、該瘻孔造設術用拡張器の基点と胃壁の内側を合わせるという簡便な操作で、瘻孔長の測定を行うことができるので、手術時間の短縮ができる。また、本発明の瘻孔造設術用拡張器によれば、瘻孔長測定用の専用器具を用いることなく、瘻孔長の測定を行えるので、処理具の部品点数を削減できる。
【産業上の利用可能性】
【００５０】
本発明によれば、患者の負担、術者のストレスが少なく且つコストが低い瘻孔長測定器（瘻孔造設術用拡張器兼瘻孔長測定器）を提供できる。
【符号の説明】
【００５１】
１、２０      瘻孔造設術用拡張器
２、２４      目盛
３            大径部材
４            大径部材胴体部
５            大径部材先端部
６            大径部材側コネクタ
７            小径部材
８            小径部材胴体部
９            小径部材先端部
１０          小径部材側コネクタ
１１、２２    基点（ゼロ点）
１２          大径部材先端部の先端
１３          大径部材先端部の先端の内径
１４          大径部材先端部の先端の外径
１５          大径部材の全長
１６          小径部材先端部の先端
１７          小径部材先端部の先端の内径
１８          小径部材先端部の先端の外径
１９          突出している小径部材の長さ          
２１          内視鏡
２３          腹壁及び胃壁
２５          胃壁の内側
２６          胃内
２７          体外側
２８          貫通孔
【図１】
2011045738.tif 000003
【図２】
2011045738.tif 000004
【図３】
2011045738.tif 000005
【図４】
2011045738.tif 000006
【図５】
2011045738.tif 000007